(57)【要約】  【課題】  熱交換器を通さないで室外空気を室内に導く換気用の経路と、熱交換器を通して室外空気を室内に導く温調換気用の経路とを、開閉可能な切替ダンパにより開閉できるようにした壁掛け式の空気調和機を提供する。  【解決手段】  吸込口１と吹出口２とを結ぶ空気通路に熱交換器３と送風ファン４とを設け、前記熱交換器３を通さないで室外空気を室内に導くための第一換気口８と、前記熱交換器３を通して室外空気を室内に導くための第二換気口９とを備えた換気装置５を設けてなる空気調和機において、前記第一換気口８および、または前記第二換気口９が、開閉可能な切替ダンパ11により開閉されるようにした。【選択図】  図１
2006038416.tif 000002
【特許請求の範囲】
【請求項１】
吸込口と吹出口とを結ぶ空気通路に熱交換器と送風ファンとを設け、前記熱交換器を通さないで室外空気を室内に導くための第一換気口と、前記熱交換器を通して室外空気を室内に導くための第二換気口とを備えた換気装置を設けてなり、
前記第一換気口および、または前記第二換気口が、開閉可能な切替手段により開閉されるようにしてなることを特徴とする空気調和機。
【請求項２】
前記熱交換器を通さないで室外空気を室内に導入する際、前記切替手段により前記第一換気口を開放する一方、前記第二換気口を閉塞してなることを特徴とする請求項１に記載の空気調和機。
【請求項３】
前記熱交換器を通して室外空気を室内に導入する際、前記切替手段により前記第一換気口を閉塞する一方、前記第二換気口を開放してなることを特徴とする請求項１に記載の空気調和機。
【請求項４】
室外空気を室内に導入しない場合、前記切替手段により前記第一換気口および前記第二換気口を閉塞してなることを特徴とする請求項１に記載の空気調和機。
【請求項５】
前記切替手段が、前記第一換気口と前記第二換気口とを開閉する切替ダンパと、同切替ダンパの軸受部に夫々突設されたストッパと、前記切替ダンパの軸受部に連係する駆動部の軸に設けられ、所定の回転位置で前記ストッパに係合する係合部と、前記第一換気口と前記第二換気口とが閉塞するように前記切替ダンパを付勢する付勢部材とを備えてなることを特徴とする請求項１に記載の空気調和機。
【発明の詳細な説明】
【技術分野】
【０００１】
本発明は、換気装置を備えた壁掛け式の空気調和機に係わり、より詳細には、熱交換器を通さないで室外空気を室内に導く換気用の経路と、熱交換器を通して室外空気を室内に導く温調換気用の経路とを、開閉可能な切替手段により開閉できるようにした構造に関する。
【背景技術】
【０００２】
従来の空気調和機の換気構造には、室内空調モードのみならず外気導入モード、排気モードで運転しうる構造が簡単で安価な壁埋込型空気調和機として、室内と室外とを仕切る壁内に埋込まれる室内機本体の中央部にファンを設置し、室内空気をファンの吸込側に導く室内空気吸込流路と、この室内空気吸込流路を開閉する室内空気吸込ダンパと、室外空気をファンの吸込側に導く室外空気吸込流路を開閉する室外空気吸込ダンパを設け、ファンから吹き出され熱交換器を流過した空気を室内に導く室内吹出流路と前記熱交換器を流過した空気を室外に導く室外吹出流路のいずれかに切り換えて導入する吹出空気切換ダンパと、室内空気吸込ダンパ、室外空気吸込ダンパとを互いに連繋して駆動することにより室内空調、外気導入、排気等の複数モードを設定できるようにした構成が開示されていた（例えば、特許文献１参照。）。
【０００３】
しかしながら、上記構成でなる壁埋込型空気調和機の換気構造においては、空気吸込流路、熱交換器および空気吸込ダンパを夫々複数づつ設けるようになっていることから、構造が複雑になってコストが嵩んでしまうため、壁掛式空気調和機に適用するには不向きであった。
【０００４】
または、新鮮な室外空気を自由に導入できる壁掛形または壁埋形空気調和機として、その本体の背面パネルに換気口を設けると共に、同換気口を開閉するダンパを設けてなることを特徴とする構成が開示されていた（例えば、特許文献２参照。）。
【０００５】
しかしながら、上記構成でなる壁掛形または壁埋形空気調和機の換気構造においては、運転時に室内空気と共に室外空気を導入し熱交換して室内に吹き出す温調換気と、新鮮な室外空気を導入する連続換気とを、前記ダンパに切替構造をもたせていないため切替えて行うことができないという欠点を有していた。
【０００６】
【特許文献１】特開２０００−３２９３７０号公報（第１頁〜第４頁、第１図〜第４図）
【特許文献２】特開平８−８６４６４号公報（第１頁〜第４頁、第１図〜第６図）
【発明の開示】
【発明が解決しようとする課題】
【０００７】
本発明は上記の問題点に鑑み、熱交換器を通さないで室外空気を室内に導く換気用の経路と、熱交換器を通して室外空気を室内に導く温調換気用の経路とを、開閉可能な切替手段により開閉できるようにした壁掛け式の空気調和機を提供することを目的とする。
【課題を解決するための手段】
【０００８】
本発明は、上記課題を解決するため、吸込口と吹出口とを結ぶ空気通路に熱交換器と送風ファンとを設け、前記熱交換器を通さないで室外空気を室内に導くための第一換気口と、前記熱交換器を通して室外空気を室内に導くための第二換気口とを備えた換気装置を設けてなり、
前記第一換気口および、または前記第二換気口が、開閉可能な切替手段により開閉されるようにしてなる構成となっている。
【０００９】
また、前記熱交換器を通さないで室外空気を室内に導入する際、前記切替手段により前記第一換気口を開放する一方、前記第二換気口を閉塞してなる構成となっている。
【００１０】
また、前記熱交換器を通して室外空気を室内に導入する際、前記切替手段により前記第一換気口を閉塞する一方、前記第二換気口を開放してなる構成となっている。
【００１１】
また、室外空気を室内に導入しない場合、前記切替手段により前記第一換気口および前記第二換気口を閉塞してなる構成となっている。
【００１２】
更に、前記切替手段が、前記第一換気口と前記第二換気口とを開閉する切替ダンパと、同切替ダンパの軸受部に夫々突設されたストッパと、前記切替ダンパの軸受部に連係する駆動部の軸に設けられ、所定の回転位置で前記ストッパに係合する係合部と、前記第一換気口と前記第二換気口とが閉塞するように前記切替ダンパを付勢する付勢部材とを備えてなる構成となっている。
【発明の効果】
【００１３】
本発明のような換気装置を備えた空気調和機であれば、熱交換器を通さないで室外空気を室内に導く換気用経路の第一換気口と、熱交換器を通して室外空気を室内に導く温調換気用経路の第二換気口とを、駆動装置が連係された開閉可能な切替手段により開閉できるようになる。
【００１４】
なお、前記切替手段により、前記第一換気口もしくは前記第二換気口の一方を開放して他方を閉塞したり、これら第一換気口および第二換気口とも開放するようにしたり、もしくは閉塞するようにしてもよい。
その際、前記第一換気口や前記第二換気口を半開もしくは全開するようにして風量を調節することで、熱交換器を通さないで室内に導く室外空気の量と、熱交換器を通して室内に導く室外空気の量とを選択的に加減して、所望の換気状態を実現できるようにした空気調和機を提供できる。
【発明を実施するための最良の形態】
【００１５】
以下、本発明の実施の形態を、添付図面に基づいた実施例として詳細に説明する。
図１は本発明による換気装置とそれを用いた空気調和機の実施例１を示す説明図で、（Ａ）は断面図、（Ｂ）は（Ａ）で示すＡ部の拡大図、（Ｃ）は要部斜視図であり、図２は実施例１に基づく温調換気時の要部説明図で、（Ａ）は切替ダンパにより第一換気口を閉塞し第二換気口を開放した状態を、（Ｂ）はその時の上部ダンパ軸受部の状態を、（Ｃ）は下部ダンパ軸受部の状態を夫々示し、図３は実施例１に基づく全閉時の要部説明図で、（Ａ）は切替ダンパにより第一換気口および第二換気口を閉塞した状態を、（Ｂ）はその時の上部ダンパ軸受部の状態を、（Ｃ）は上部ダンパ軸受部の状態を夫々示し、図４は実施例１に基づく連続換気時の要部説明図で、（Ａ）は切替ダンパにより第一換気口を開放し第二換気口を閉塞した状態を、（Ｂ）はその時の上部ダンパ軸受部の状態を、（Ｃ）は下部ダンパ軸受部の状態を夫々示している。
図５は本発明による換気装置とそれを用いた空気調和機の実施例２を示す説明図で、（Ａ）は断面図、（Ｂ）は（Ａ）で示すＢ部の拡大図、（Ｃ）は要部斜視図であり、図６は実施例２に基づく温調換気時の要部説明図で、（Ａ）は切替ダンパにより第一換気口を閉塞し第二換気口を開放した状態を、（Ｂ）はその時の上部ダンパ軸受部の状態を、（Ｃ）は下部ダンパ軸受部の状態を夫々示し、図７は実施例２に基づく全閉時の要部説明図で、（Ａ）は切替ダンパにより第一換気口および第二換気口を閉塞した状態を、（Ｂ）はその時の上部ダンパ軸受部の状態を、（Ｃ）は下部ダンパ軸受部の状態を夫々示し、図８は実施例２に基づく連続換気時の要部説明図で、（Ａ）は切替ダンパにより第一換気口を開放し第二換気口を閉塞した状態を、（Ｂ）はその時の上部ダンパ軸受部の状態を、（Ｃ）は下部ダンパ軸受部の状態を夫々示し、図９は本発明による換気装置とそれを用いた空気調和機のその他の実施例を示す説明図で、（Ａ）はその他の一例を示す断面図、（Ｂ）はその他の二例を示す断面図、（Ｃ）はその他の三例を示す断面図である。
【００１６】
本発明による空気調和機は換気装置５を備えた構成になっており、同換気装置５は、図で示すように、一端に換気ファン６を有する吸気口を備え、他端に熱交換器３を通さないで室外空気を室内に導くための第一換気口８と、前記熱交換器３を通して室外空気を室内に導くための第二換気口９とを備え、前記第一換気口８および前記第二換気口９が、これら第一換気口８および第二換気口９に対応する開閉可能な切替ダンパ11を備えた切替手段により開閉されるようにした構成になっている。
【００１７】
前記切替手段は、前記第一換気口８に対応する前記切替ダンパ11の上部ダンパ軸受部15に第一のストッパ16が突設され、前記第二換気口９に対応する前記切替ダンパ11の下部ダンパ軸受部14に第二のストッパ16が突設される一方、前記切替ダンパ11を駆動する駆動モータ（ステッピングモータ）12のモータ軸12a に、前記第一のストッパ16および前記第二のストッパ16に所定の回転位置で係合する平行な平坦面からなる係合部が形成されてなる構成になっている。
【００１８】
また、前記切替ダンパ11には、前記第一換気口８と前記第二換気口９とを夫々閉塞するように付勢するための引っ張りバネ13からなる付勢部材が設けられている。
【００１９】
これにより、前記第一排気口８と前記第二換気口９とを、開閉可能な前記切替ダンパ11によって切替可能に開放できるようになり、また、前記第一排気口８と前記第二換気口９とを容易に、且つ正確に閉塞できる。
【００２０】
なお、前記換気装置５を備えた空気調和機は、図で示すように、上部に設けられた吸込口１と、下部に設けられた吹出口２とを結ぶ空気通路に、前記熱交換器３と送風ファン４とを設けて、前記吸込口１から吸い込まれた室内空気を前記熱交換器３で熱交換したのち、前記吹出口２から室内に吹き出して空気調和を行うと共に、室外空気を吸入する換気用の前記換気装置５を接続して効果的に換気を行えるようにした構成になっている。
【００２１】
前記換気装置５は、室外空気を導入するための前記換気ファン６と、同換気ファン６に連なり外壁面Ａを貫通して室外空気を室内側に導き入れる換気風路７とを備え、同換気風路７には、導入された室外空気を前記熱交換器３を通さないで室内に吸い込むための第一換気口８と、前記熱交換器３を通して室内に吸い込むための第二換気口９とが、仕切板10によって仕切られるように形成されている。
【００２２】
前記第一換気口８および前記第二換気口９は、上述したとおり前記切替ダンパ11が設けられており、同切替ダンパ11は、前記上部ダンパ軸受部15のストッパ16および前記下部ダンパ軸受部14のストッパ16に、単一の前記モータ軸12a に形成された平行な平坦面からなる係合部が所定の回転位置で係合することによって回転し、前記第一換気口８と前記第二換気口９とを切替可能に開放できることになる。
【００２３】
これにより、例えば前記第一換気口８を開閉するダンパと前記第二換気口９を開閉するダンパとを夫々個別に設けたり、また、夫々個別に設けられたダンパに夫々駆動モータ（ステッピングモータ）を連係させるといった必要がなくなるので、構成がシンプルになりコスト的に有利な構成になる。
【００２４】
そして、前記切替ダンパ11は、前記駆動モータ（ステッピングモータ）12が連係されることにより、前記第一換気口８および前記第二換気口９を、自動的に且つ正確に全開したり、半開または全閉することにより換気のための風量を調節できるようになっている。
【００２５】
また、前記仕切板10は、前記第一換気口８および前記第二換気口９を開閉するときの前記切替ダンパ11のガイドレールを兼ねた構成になっており、これによって、前記切替ダンパ11が円滑に動くようになって、前記第一換気口８および前記第二換気口９を正確に開閉できるようになっている。
【００２６】
例えば、空気調和機の運転停止時に、前記換気装置５により室外空気を前記熱交換器３を通さないで室内に連続的に吸い込むようにした連続換気を行う際、前記切替ダンパ11によって、前記第一換気口８を開放して前記第二換気口９を閉塞するようになっている。
【００２７】
また、空気調和機の運転時に、前記換気装置５により室外空気を前記熱交換器３を通すように吸い込むようにした温調換気を行う際、前記切替ダンパ11によって、前記第一換気口８を閉塞して前記第二換気口９を開放するようになっている。
【００２８】
また、換気を行わないで空気調和機の運転をする際、前記切替ダンパ11によって、前記第一換気口８および前記第二換気口９をともに閉塞するようになっている。
【００２９】
なお、前記下部ダンパ軸受部14と前記上部ダンパ軸受部15とは、図１（Ｃ）と、図５（Ｃ）とで示すように前記モータ軸12a に挿入されており、同モータ軸12a の回転により、同モータ軸12a の係合部に前記ストッパ16が係合（当接）することによって、前記下部ダンパ軸受部14または前記上部ダンパ軸受部15が連動することが可能になり、係合（当接）していない状態においては、前記モータ軸12a を中心に、前記引っ張りバネ13によって、前記第一換気口８または前記第二換気口９を閉塞するように付勢されている。
【実施例１】
【００３０】
ここで、実施例１として示した図１乃至図４に基づいて、本発明による前記換気装置５を備えた空気調和機として、前記切替ダンパ11で前記第一換気口８と前記第二換気口９の開閉を切り替えることにより、上述した連続換気または温調換気を行えるようにした構成について説明する。
【００３１】
前記切替ダンパ11は、図１（Ａ）および図１（Ｂ）で示すような四角形状に形成されて接続部にはスリットからなる可動機構を備えており、前記駆動装置12が連係されることにより図１（Ｂ）で示す矢印のように動くことが可能な状態になっていて、前記第一換気口８または前記第二換気口９を、開放または閉塞できるように構成されている。
【００３２】
例えば、空気調和機の運転時に、前記換気装置５により室外空気を前記熱交換器３を通すように吸い込むようにした温調換気を行う際、図２（Ａ）で示すように、前記切替ダンパ11によって前記第一換気口８を閉塞する一方、前記第二換気口９を開放するようになっている。
【００３３】
その際、図２（Ａ）および図２（Ｂ）で示すように、前記第一換気口８は、前記モータ軸12a の係合部に前記ストッパ16が係合（当接）していないため、前記引っ張りバネ13により前記上部ダンパ軸受部15が上方（閉方向）に付勢されて閉塞される一方、図２（Ａ）および図２（Ｃ）で示すように、前記第二換気口９は、前記モータ軸12a の係合部に前記ストッパ16が係合（当接）しているため、前記下部ダンパ軸受部14が下方（閉方向）に回転できないので開放された状態になっている。
【００３４】
これにより、新鮮な室外空気が前記第二換気口９から前記熱交換器３の上流側に導入されることによって温調換気が行われるようになり、その間、前記第一換気口８は閉塞されていることから、室内には室外空気が導入されないので連続換気は行われない。
【００３５】
なお、図２（Ｂ）および図２（Ｃ）ので示す矢印の回転方向は、温調換気から全閉そして連続換気の状態になるように、前記モータ軸12a が順次回転してゆく方向を示している。
【００３６】
全閉から連続換気までの間は、前記モータ軸12a を図３（Ｂ）および図３（Ｃ）で示す位置に回転させることにより、前記第一換気口８は、前記引っ張りバネ13により前記上部ダンパ軸受部15が上方（閉方向）に付勢されて閉塞されると共に、前記第二換気口９は、前記下部ダンパ軸受部14が下方（閉方向）に付勢されて閉塞されている。
【００３７】
その際、図３（Ｂ）および図３（Ｃ）で示すように、前記モータ軸12a の係合部に前記ストッパ16が係合（当接）しているが、これは、前記第一換気口８および前記第二換気口９をともに閉塞した状態で係合（当接）していることを示している。
【００３８】
また、空気調和機の運転時に、前記換気装置５により室外空気を室内に吸い込むようにした連続換気を行う際、図４（Ａ）で示すように、前記切替ダンパ11によって前記第二換気口９を閉塞する一方、前記第一換気口８を開放するようになっている。
【００３９】
その際、前記モータ軸12a を図４（Ｂ）および図４（Ｃ）で示す位置に回転させることにより、前記第一換気口８は、図４（Ａ）および図４（Ｂ）で示すように、前記モータ軸12a の係合部に前記ストッパ16が係合（当接）しているため、前記上部ダンパ軸受部15が上方（閉方向）に回転できないので開放される一方、前記第二換気口９は、図４（Ａ）および図４（Ｃ）で示すように、前記モータ軸12a の係合部に前記ストッパ16が係合（当接）していないため、前記引っ張りバネ13により前記下部ダンパ軸受部14が下方（閉方向）に付勢されて閉塞された状態になっている。
【００４０】
これにより、新鮮な室外空気が前記第一換気口８から室内に導入されることによって上述した連続換気が行われるようになり、その間、前記第二換気口９は閉塞されていることから、前記熱交換器３の上流側には室外空気が導入されないので上述した温調換気は行われない。
【実施例２】
【００４１】
次に、実施例２として示した図５乃至図８に基づいて、本発明による前記換気装置５を備えた空気調和機として、前記切替ダンパ11で前記第一換気口８または前記第二換気口９の開閉を切り替えることにより、上述した連続換気または温調換気を行えるようにした構成について説明する。
【００４２】
実施例１と相違している点は、前記第一換気口８または前記第二換気口９を開閉するための前記切替ダンパ11の構成であり、同切替ダンパ11が有する機能や、同切替ダンパ11以外の構成については略同様であるが、実施例１との共通点も含めた構成を以下に記載し説明する。
【００４３】
前記切替ダンパ11は、図５（Ａ）および図５（Ｂ）で示すようなＶ字形状に形成されており、前記駆動モータ（ステッピングモータ）12が連係されることにより図５（Ｂ）で示す矢印のように動くことが可能な状態になっていて、前記第一換気口８または前記第二換気口９を開放または閉塞できるように構成されている。
【００４４】
前記切替ダンパ11は、Ｖ字形状に形成されたことにより、実施例１と比べて構成がシンプルであってコスト的に有利になっており、また、実施例１の場合と同様に、前記駆動モータ（ステッピングモータ）12が連係されて前記第一換気口８または前記第二換気口９を自動的に、且つ正確に開閉できるようになっている。
【００４５】
例えば、空気調和機の運転時に、前記換気装置５により室外空気を前記熱交換器３を通すように吸い込むようにした温調換気を行う際、図６（Ａ）で示すように、前記切替ダンパ11によって前記第一換気口８を閉塞する一方、前記第二換気口９を開放するようになっている。
【００４６】
その際、図６（Ａ）および図６（Ｂ）で示すように、前記第一換気口８は、前記モータ軸12a の係合部に前記ストッパ16が係合（当接）していないため、前記引っ張りバネ13により前記上部ダンパ軸受部15が上方（閉方向）に付勢されて閉塞される一方、図６（Ａ）および図６（Ｃ）で示すように、前記第二換気口９は、前記モータ軸12a の係合部に前記ストッパ16が係合（当接）しているため、前記下部ダンパ軸受部14が下方（閉方向）に回転できないので開放された状態になっている。
【００４７】
これにより、新鮮な室外空気が前記第二換気口９から前記熱交換器３を通すように導入されることによって上述した温調換気が行われるようになり、その間、前記第一換気口８は閉塞されていることから、室内には室外空気が導入されないので上述した連続換気は行われない。
【００４８】
なお、図６（Ｂ）および図６（Ｃ）ので示す矢印の回転方向は、温調換気から全閉そして連続換気の状態になるように、前記モータ軸12a が順次回転してゆく方向を示している。
【００４９】
全閉から連続換気までの間は、前記モータ軸12a を図７（Ｂ）および図７（Ｃ）で示す位置に回転させることにより、前記第一換気口８は、前記引っ張りバネ13により前記上部ダンパ軸受部15が上方（閉方向）に付勢されて閉塞されると共に、前記第二換気口９は、前記下部ダンパ軸受部14が下方（閉方向）に付勢されて閉塞されている。
【００５０】
その際、図７（Ｂ）および図７（Ｃ）で示すように、前記モータ軸12a の係合部に前記ストッパ16が係合（当接）しているが、これは、前記第一換気口８および前記第二換気口９をともに閉塞した状態で係合（当接）していることを示している。
【００５１】
また、空気調和機の運転時に、前記換気装置５により室外空気を室内に吸い込むようにした連続換気を行う際、図８（Ａ）で示すように、前記切替ダンパ11によって前記第二換気口９を閉塞する一方、前記第一換気口８を開放するようになっている。
【００５２】
その際、前記モータ軸12a を図８（Ｂ）および図８（Ｃ）で示す位置に回転させることにより、前記第一換気口８は、図８（Ａ）および図８（Ｂ）で示すように、前記モータ軸12a の係合部に前記ストッパ16が係合（当接）しているため、前記上部ダンパ軸受部15が上方（閉方向）に回転できないので開放される一方、前記第二換気口９は、図８（Ａ）および図８（Ｃ）で示すように、前記モータ軸12a の係合部に前記ストッパ16が係合（当接）していないため、前記引っ張りバネ13により前記下部ダンパ軸受部14が下方（閉方向）に付勢されて閉塞された状態になっている。
【００５３】
これにより、新鮮な室外空気が前記第一換気口８から室内に導入されることによって上述した連続換気が行われるようになり、その間、前記第二換気口９は閉塞されていることから、前記熱交換器３の上流側には室外空気が導入されないので上述した温調換気は行われない。
【実施例３】
【００５４】
次に、実施例３として示す図９（Ａ）乃至図９（Ｃ）に基づいて、本発明による前記換気装置５を備えた空気調和機のその他の実施例について説明する。
【００５５】
その他の一例として、図９（Ａ）で示すように、前記換気風路７が空気調和機の背面上端部に接続されることにより、前記第一換気口８を空気調和機の内部を通過させることなく室内に導けるように構成できるのでコスト的に有利なシンプルな構成になる。
【００５６】
これによって、空気調和機の運転停止時に、前記換気装置５により室外空気を前記第一換気口８から前記熱交換器３を通すことなく室内に吸入して上述した連続換気をしたり、運転時に室外空気を前記第二換気口９から前記熱交換器３を通すように導入できる。
【００５７】
また、その他の二例として、図９（Ｂ）で示すように、前記換気風路７が空気調和機の背面上位部から接続されることにより、前記換気装置５により、室外空気を空気調和機の内部を通過させることなく、前記第一換気口８から室内に吸入して連続換気をしたり、運転時に室外空気を前記第二換気口９から前記熱交換器３を通すように導入できる。
【００５８】
または、その他の三例として、図９（Ｃ）で示すように、前記換気風路７が空気調和機の背面中央部から接続されるようにしてもよく、この場合、室外空気を前記第一換気口８から前記熱交換器３の上流側に導入できるようになり、前記第二換気口９から前記熱交換器３の下流側に導入できるようになる。
【図面の簡単な説明】
【００５９】
【図１】本発明による換気装置とそれを用いた空気調和機の実施例１を示す説明図で、（Ａ）は断面図であり、（Ｂ）は（Ａ）で示すＡ部の拡大図であり、（Ｃ）は要部斜視図である。
【図２】実施例１に基づく温調換気時の要部説明図で、（Ａ）は切替ダンパにより第一換気口を閉塞し第二換気口を開放した状態を、（Ｂ）はその時の上部ダンパ軸受部の状態を、（Ｃ）は下部ダンパ軸受部の状態を夫々示す。
【図３】実施例１に基づく全閉時の要部説明図で、（Ａ）は切替ダンパにより第一換気口および第二換気口を閉塞した状態を、（Ｂ）はその時の上部ダンパ軸受部の状態を、（Ｃ）は下部ダンパ軸受部の状態を夫々示す。
【図４】実施例１に基づく連続換気時の要部説明図で、（Ａ）は切替ダンパにより第一換気口を開放し第二換気口を閉塞した状態を、（Ｂ）はその時の上部ダンパ軸受部の状態を、（Ｃ）は下部ダンパ軸受部の状態を夫々示す。
【図５】本発明による換気装置とそれを用いた空気調和機の実施例２を示す説明図で、（Ａ）は断面図であり、（Ｂ）は（Ａ）で示すＢ部の拡大図であり、（Ｃ）は要部斜視図である。
【図６】実施例２に基づく温調換気時の要部説明図で、（Ａ）は切替ダンパにより第一換気口を閉塞し第二換気口を開放した状態を、（Ｂ）はその時の上部ダンパ軸受部の状態を、（Ｃ）は下部ダンパ軸受部の状態を夫々示す。
【図７】実施例２に基づく全閉時の要部説明図で、（Ａ）は切替ダンパにより第一換気口および第二換気口を閉塞した状態を、（Ｂ）はその時の上部ダンパ軸受部の状態を、（Ｃ）は下部ダンパ軸受部の状態を夫々示す。
【図８】実施例２に基づく連続換気時の要部説明図で、（Ａ）は切替ダンパにより第一換気口を開放し第二換気口を閉塞した状態を、（Ｂ）はその時の上部ダンパ軸受部の状態を、（Ｃ）は下部ダンパ軸受部の状態を夫々示す。
【図９】本発明による換気装置とそれを用いた空気調和機のその他の実施例を示す説明図で、（Ａ）はその他の一例を示す断面図であり、（Ｂ）はその他の二例を示す断面図であり、（Ｃ）はその他の三例を示す断面図である。
【符号の説明】
【００６０】
１  吸込口
２  吹出口
３  熱交換器
４  送風ファン
５  換気装置
６  換気ファン
７  換気風路
８  第一換気口
９  第二換気口
10  仕切板
11  切替ダンパ
12  駆動装置
12a モータ軸
13  引っ張りバネ
14  下部ダンパ軸受部
15  上部ダンパ軸受部
16  ストッパ
17  ガイドレール
Ａ  壁面
【図１】
2006038416.tif 000003
【図２】
2006038416.tif 000004
【図３】
2006038416.tif 000005
【図４】
2006038416.tif 000006
【図５】
2006038416.tif 000007
【図６】
2006038416.tif 000008
【図７】
2006038416.tif 000009
【図８】
2006038416.tif 000010
【図９】
2006038416.tif 000011